(57)【要約】２面直接熱印刷用の感熱記録要素は、基材の対向面上に感熱コーティングを有する基材を備え、取り外し可能感熱ラベル要素を含む。感熱コーティングを備え、接触接着剤で裏打ちされた感熱ラベル要素が開示される。
2009517256.tif 000002
【特許請求の範囲】
【請求項１】
２面直接熱印刷用の感熱記録要素であって、基材の対向面上に感熱コーティングを有する基材を備え、前記記録要素が取り外し可能感熱ラベル要素を含む感熱記録用紙。
【請求項２】
前記感熱ラベル要素が感熱コーティングを有し、接触接着剤で裏打ちされる、請求項１に記載の感熱記録用紙。
【請求項３】
前記基材が、発送文書を提供するために両面上に直接熱印刷され、返送ラベルを提供するために前記感熱ラベル要素上に直接熱印刷される、請求項２に記載の感熱記録用紙。
【請求項４】
前記感熱ラベル要素が、剥離材の裏張りに固着される、請求項１に記載の感熱記録用紙。
【請求項５】
前記剥離材の裏張りが、熱活性化接着剤によって前記記録要素基材に取り付けられる、請求項４に記載の感熱記録用紙。
【請求項６】
前記感熱ラベル要素が、前記剥離材の裏張りの１つの面に固着され、第２の感熱ラベル要素が、前記剥離材の裏張りの反対の面に固着される、請求項４に記載の感熱記録用紙。
【請求項７】
前記剥離材の裏張りが、前記記録要素から取り外し可能である、請求項４に記載の感熱記録用紙。
【請求項８】
前記剥離材の裏張りが、ミシン目入り分割ラインによって取り外し可能である、請求項４に記載の感熱記録用紙。
【請求項９】
前記基材が、調剤文書を提供するために両面上に直接熱印刷され、調剤ラベルを提供するために前記感熱ラベル要素上に直接熱印刷される、請求項４に記載の感熱記録用紙。
【請求項１０】
剥離材の裏張りと、前記裏張りの両面上に固着された取り外し可能感熱ラベル要素とを備える要素の両面での直接熱印刷用の両面感熱記録用紙。
【発明の詳細な説明】
【技術分野】
【０００１】
本発明は、両面２色熱印刷に関する。
【背景技術】
【０００２】
取引文書またはレシートの２重または両面直接熱印刷については、米国特許第６，７８４，９０６号公報および第６，７５９，３６６号公報に記載されている。プリンタは、プリンタを通るフィード・パスに沿って移動する熱媒体の両面に印刷することが可能なように構成される。こうしたプリンタでは、ダイレクト・サーマル・プリント・ヘッドが、媒体フィード・パスの両側に配置される。サーマル・プリント・ヘッドは、プリント・ヘッドからのフィード・パスを横切る対向プラテンと向かい合う。
【０００３】
直接熱印刷では、プリント・ヘッドは、紙、または感熱コーティングが施された基材を含む他のシート媒体に選択的に熱を加える。コーティングは、熱が加えられると変色し、これによりコーティングされた基材に「印刷」が提供される。両面直接熱印刷の場合、シート媒体基材は、両面をコーティングすることができる。
【０００４】
２重または両面直接熱印刷について、材料を節約するため、および顧客に情報を提供する際の柔軟性を与えるために、紙のレシートの両面に可変情報を提供することに関して説明してきた。印刷は、電子的に、または両面印刷を指示するコンピュータ・アプリケーション・プログラムを使用するコンピュータによって、実行することができる。両面ダイレクト・サーマル・プリンタは、レシートまたは他の文書を印刷するためのシンプレックス・モード・プログラムと共に使用するように構成することもできる。
【特許文献１】米国特許第６，７８４，９０６号公報
【特許文献２】米国特許第６，７５９，３６６号公報
【発明の開示】
【発明が解決しようとする課題】
【０００５】
取り外し可能な感熱ラベル要素が接触接着剤で裏打ちされ、剥離材の裏張りに固着された片面熱印刷用の記録要素が知られている。感熱ラベル要素は、加熱時に直接熱印刷用に変色する感熱コーティングを有する。
【課題を解決するための手段】
【０００６】
２面直接熱印刷用の感熱記録要素は、基材の対向面上に感熱コーティングを有する基材を備え、取り外し可能な感熱ラベル要素を含む。感熱コーティングを備え、接触接着剤で裏打ちされた感熱ラベル要素について説明する。感熱記録要素は、例えば、発送文書を提供するために基材の両面に直接熱印刷すること、および返送ラベルを提供するために感熱ラベル要素上に直接熱印刷することができる。他の解決方法の場合、基材は、調剤文書を提供するために両面に直接熱印刷することができ、さらに、感熱ラベル要素は、調剤ラベルを提供するために直接熱印刷することができる。
【発明を実施するための最良の形態】
【０００７】
例を挙げると、本明細書では、本発明の様々な実施形態について、含まれる図面を参照しながら説明する。変形も適合可能である。
【０００８】
図１は、発行時に取引レシートまたはチケットの両面シングルパス印刷に使用可能な両面画像形成ダイレクト・サーマル・プリンタ１０を示す概略図である。プリンタ１０は、米国特許第６，７８４，９０６号公報（特許文献１）および第６，７５９，３６６号公報（特許文献２）に記載されているような、感熱性染料で各面がコーティングされた不透明基材、好ましくはセルロース系またはポリマー基材シートを含む両面感熱紙である印刷媒体２０上で動作する。各面で異なる色の染料を使用することにより、レシートの両面で２面直接熱印刷を行うための２色印刷機能が提供される。基材および直接熱印刷媒体に対する感熱変色コーティングは、通常、当業者であれば周知のものである。両面直接熱印刷は、媒体２０の対向面に異なる色の染料を含む媒体２０と、媒体２０の片面の直接熱印刷が媒体２０の対向面の着色に影響しないように十分な耐熱性のある基材とによって容易に行うことができる。
【０００９】
熱印刷媒体２０は、グラフィックスまたはテキストあるいはその両方などの印刷が媒体２０の両面に印刷可能な、例えば、バウチャー、クーポン、レシート、チケット、あるいは他の記事または文書などを提供するためのロール紙またはシートの形で供給することができる。
【００１０】
図１に示されるように、プリンタ１０は、印刷される熱媒体２０の対向面に、回転プラテン３０および４０と、対向するサーマル・プリント・ヘッド５０および６０とを有する。媒体２０の両面直接熱印刷は、取引時に、あるいはレシートまたはチケットの発行時に、シングルパスで実行される。媒体２０は、通常、印刷完了時に、個々のレシートまたはチケット文書を提供するために切断または切り離すことができる。
【００１１】
図２Ａは、レシート８０の表面に印刷された発行者識別、時間、日付、ライン・アイテム・エントリ、および取引合計金額などの取引の詳細７０を示す。図２Ｂは、例えば、レシート８０の裏面に印刷された、取引時に確認された受領者識別または取引の詳細に基づく顧客情報９０を示す。例えば、顧客情報９０は、別のまたは複製の取引情報、図に示されたようなクーポン、割り戻しまたはコンテスト情報、連載漫画、販売条件、文書画像、広告、セキュリティ機能、チケット情報、あるいは例えば受領者識別または取引のデータまたは詳細に基づく顧客情報などの他の情報を含むことができる。
【００１２】
両面画像形成ダイレクト・サーマル・プリンタ１０は、媒体フィード・パス２５の対向面上のプリント・ヘッド５０および６０によって、プリンタ１０を通るフィード・パス２５に沿って移動するレシートまたは他のシート媒体２０の両面に印刷することが可能なように構成される。プリント・ヘッド５０および６０は、好ましくは図に示されるように、関連する対向プラテン３０および４０を有する。
【００１３】
印刷されるデータ・ブロックの一部、例えば半分を、媒体２０の片面に直接熱印刷によって印刷し、データの他の部分、例えば半分を、媒体２０の裏面に直接熱印刷によって印刷するか、またはデータのそれぞれの部分が印刷される媒体の面を逆にすることができる。このように、取引レシートを生成することができ、関連する取引データの一部がレシートの片面に印刷され、取引データの残りの部分がレシートの他方の面に印刷されるため、レシートを印刷するために必要な媒体２０の量が節約される。さらに、両面直接熱印刷機能は、媒体２０のある面に印刷されるデータの部分または量、あるいはデータ・ブロックを決定するために使用することもできる。データの様々なブロックを印刷のために択一的に選択することができる。
【００１４】
図３Ａは、レシート１００の表面１１０に関連する取引の詳細の一部が印刷された２面レシート１００を示す。図３Ｂは、レシート１００の裏面１２０に印刷された関連する取引データの残りの部分を示す、図３Ａに示されたレシート１００の裏面１２０を示す。レシート１００の２面性、または表示されているレシート１００のそれぞれの面を示すために、「表面」、「裏面」、「面１」、「面２」などの証印を、図に示されるように、レシート１００の２つの面に含めることができる。レシートまたは取引番号、端末番号、店舗識別子、日付、時刻などの識別証印は、２つの面の複写された画像の関連付けを可能にするために、レシートの両面に印刷することができる。
【００１５】
事前印刷データ格納機構を有する両面画像形成ダイレクト・サーマル・プリンタ１０は、媒体２０の一方の面にそれぞれ印刷され、例えば、媒体の他方の面にアプリケーション・ソフトウェアによって提出されたデータが印刷される１つまたは複数のデータ・ブロックを格納することができる。複数のデータ・ブロックがプリンタ・ストレージに格納された場合、媒体印刷面選択が可能なように、ブロックを印刷のために択一的に選択することができる。
【００１６】
図４は、基材の対向面上に感熱コーティングを有する基材を備える２面直接熱印刷用の例示的な感熱記録要素１３０を示す。記録要素１３０は、複数の取り外し可能感熱ラベル要素１４０Ａ〜１４０Ｈを含む。感熱ラベル要素１４０Ａ〜１４０Ｈは、それぞれ感熱コーティングを有し、接触接着剤で裏打ちされる。感熱ラベル要素１４０Ａ〜１４０Ｈは、切れ目入り分割ライン１５０に沿って分割可能であり、剥離材１６０の裏張りに固着される。裏張り１６０は、図に示されるように裏張り１６０の縁部１７０に沿った熱活性化接着剤によって、両面記録要素１３０に取り付けることができる。記録要素１３０は、両面に直接熱印刷でき、ミシン目入り分割ライン２００に沿って分割できるパネル１８０および１９０を備える。所望であれば、感熱ラベル材料要素２１０（図示せず）を裏打ち１６０の裏面に追加することができ、そのため、感熱ラベル要素１４０Ａ〜１４０Ｈおよび２１０は、対向するプリント・ヘッド５０および６０によって直接熱印刷することができ、異なるラベル要素を支持するために必要な裏打ち１６０の全体サイズまたは面積が節約される。図４に示されるように、裏打ち１６０は、ミシン目入り分割ライン２００のうちの１つに沿って、記録要素から取り外し可能であることに留意されたい。
【００１７】
感熱記録要素は、例えば、発送文書を提供するために関連するコーティングされた基材の両面上に直接熱印刷することができ、返送ラベルを提供するために感熱ラベル要素上に直接熱印刷することができる。他の解決方法の場合、両面記録要素１３０は、調剤文書を提供するためにコーティングされた基材の両面上に直接熱印刷することができ、感熱ラベル要素は、調剤ラベルを提供するために直接熱印刷することができる。
【００１８】
上記説明は、より広義の発明のいくつかの特定の実施形態または例を提示するものである。本発明は、本明細書では説明されていない多種多様な他の代替方法でも実施される。本発明の多くの他の実施形態または変形も、添付の特許請求の範囲内で実施することができる。
【図面の簡単な説明】
【００１９】
【図１】取引レシートまたはチケットなどの熱媒体の両面シングルパス印刷に使用可能な両面画像形成ダイレクト・サーマル・プリンタを示す概略図である。
【図２Ａ】表面に取引の詳細が印刷されたレシートを示す図である。
【図２Ｂ】取引時に決定された可変格納情報などの補足情報が裏面に印刷されたレシートを示す図である。
【図３Ａ】レシートの表面に関連する取引の詳細の一部が印刷された２面レシートを示す図である。
【図３Ｂ】関連する取引データの残りの部分が印刷された、図３Ａに示されたレシートの裏面を示す図である。
【図４】複数の取り外し可能感熱ラベル要素を含む２面直接熱印刷用の感熱記録要素を示す図である。
【図１】
2009517256.tif 000003
【図２Ａ】
2009517256.tif 000004
【図２Ｂ】
2009517256.tif 000005
【図３Ａ】
2009517256.tif 000006
【図３Ｂ】
2009517256.tif 000007
【図４】
2009517256.tif 000008
【国際調査報告】
2009517256.tif 000009